(57)【要約】【課題】  簡単な構成によって指向特性を変化させて、異なる方向から到来する電波を受信可能とする。【解決手段】  λ／４の長さを有するダイポールアンテナ素子４、６を一列に配置し、ダイポールアンテナ素子４、６の近接する端部間に給電部８で給電する。λ／４の長さの延長素子１０ａ、１０ｂが、ダイポールアンテナ素子４の外方側に一列に配置され、λ／４の長さの延長素子１４ａ、１４ｂが、ダイポールアンテナ素子６の外方側に一列に配置されている。延長素子１０ａ、１０ｂの間、ダイポールアンテナ素子４と延長素子１０ａとの間、延長素子１４ａ、１４ｂの間及びダイポールアンテナ素子６と延長素子１４ａとの間に、スイッチ１２ａ、１２ｂ、１６ａ、１６ｂが設けられている。【選択図】        図１
2008306441.tif 000002
【特許請求の範囲】
【請求項１】
λ／４（λは送信または受信しようとする周波数帯の電波の中心波長）の長さを有する第１及び第２のダイポールアンテナ素子を、その長さ方向を揃えて一列に配置したダイポールアンテナと、
第１及び第２のダイポールアンテナ素子の近接する端部間に給電する給電部と、
前記λ／４の整数倍の長さをそれぞれが有し、第１のダイポールアンテナ素子の外方側に、第１のダイポールアンテナ素子の長さ方向に揃えて一列に配置された複数の第１の延長素子と、
前記λ／４の整数倍の長さをそれぞれが有し、第２のダイポールアンテナ素子の外方側に、第２のダイポールアンテナ素子の長さ方向に揃えて一列に配置された複数の第２の延長素子と、
第１の延長素子の間、第１のダイポールアンテナ素子とこれに近接する第１の延長素子との間、第２の延長素子の間及び第２のダイポールアンテナ素子とこれに近接する第２の延長素子との間に、それぞれ設けられ、これらの間を接続及び切断するスイッチとを、
有する多方向アンテナ。
【請求項２】
請求項１記載の多方向アンテナにおいて、前記スイッチは、前記接続、前記切断に加えて、第１の延長素子の間、第１のダイポールアンテナ素子とこれに近接する第１の延長素子との間、第２の延長素子の間及び第２のダイポールアンテナ素子とこれに近接する第２の延長素子との間への、λ／４の折り返し部分の接続も可能である多方向アンテナ。
【請求項３】
請求項１または２記載の多方向アンテナを、複数設け、前記各多方向アンテナの第１及び第２のダイポールアンテナ素子がほぼ同一平面内において交差するように配置した組合せ多方向アンテナ。
【請求項４】
請求項１または２記載の多方向アンテナにおいて、
第１及び第２のダイポールアンテナの素子に対して所定の角度をなすように配置され、かつその一端部が第１及び第２のダイポールアンテナ素子の内方端部の近傍に位置し、かつ給電される前記λ／４の長さを有するモノポールアンテナ素子と、
前記λ／４の整数倍の長さをそれぞれが有し、前記モノポールアンテナ素子の他端側に、前記モノポールアンテナ素子の長さ方向に揃えて一列に配置された複数の第３の延長素子とを、
具備し、第３の延長素子の間、前記モノポールアンテナ素子とこれに近接する第３の延長素子との間にも、前記スイッチが設けられている多方向アンテナ。
【発明の詳細な説明】
【技術分野】
【０００１】
本発明は、異なる方向から到来する複数の電波を受信することができる多方向アンテナ及びこのアンテナを組み合わせた組合せ多方向アンテナに関する。
【背景技術】
【０００２】
従来、異なる方向から到来する電波を受信可能なアンテナとしては、例えば特許文献１、２に開示されているようなものがある。
【０００３】
特許文献１に開示されている技術では、放射器の両側に長さを変化させることが可能な第１及び第２のアンテナ素子を配置し、第１のアンテナ素子を放射器として使用すると共に、第２のアンテナ素子を導波器として使用する状態と、第１のアンテナ素子を導波器として使用すると共に、第２のアンテナ素子を反射器として使用する状態とに、第１及び第２のアンテナ素子の長さを切り換えることによって、切り換えるものである。これによって、第２のアンテナ素子から第１のアンテナ素子に向かう方向の電波を受信する状態と、反対に第１のアンテナ素子から第２のアンテナ素子に向かう方向の電波を受信する状態とに、切り換える。
【０００４】
特許文献２に開示されている技術では、２組のダイポールアンテナを交差するように配置し、これら２組のダイポールアンテナの出力を、演算して合成することによって、これら２組のダイポールアンテナの指向性を複数の方向のいずれかに切り換えるものである。
【０００５】
【特許文献１】特開２００４−１２８５５７号公報
【特許文献２】特開２００５−１７６１２０号公報
【発明の開示】
【発明が解決しようとする課題】
【０００６】
特許文献１の技術によれば、１８０度異なる２つの方向から到来する電波しか受信することができない。更に異なる方向からの電波も受信するためには、特許文献１のアンテナを複数、それぞれ異なる方向を向くように設置しなければならず、構成が複雑になる。特許文献２の技術によれば、多数の異なる方向からの電波を受信することは可能であるが、２組のダイポールアンテナを設置しなければならない上に、２組のダイポールアンテナの出力を処理して合成するための回路が必要であり、やはり構成が複雑になる。
【０００７】
本発明は、簡単な構成によって、指向特性を変化させて、異なる方向から到来する電波を受信可能な多方向アンテナ及び組合せ多方向アンテナを提供することを目的とする。
【課題を解決するための手段】
【０００８】
本発明の一態様の多方向アンテナは、ダイポールアンテナを有している。このダイポールアンテナは、第１及び第２のダイポールアンテナ素子からなり、第１及び第２のダイポールアンテナ素子は、λ／４（λは送信または受信しようとする周波数帯の電波の中心波長）の長さを有している。第１及び第２のダイポールアンテナ素子は、その長さ方向を揃えて一列に配置されている。第１及び第２のダイポールアンテナ素子の近接する端部間に給電部が設けられている。第１のダイポールアンテナ素子の外方側に、複数の第１の延長素子が、配置されている。第１の延長素子は、λ／４の整数倍の長さをそれぞれが有している。例えば第１の延長素子は、λ／４の長さ、λ／２の長さを有している。これら第１の延長素子は、第１のダイポールアンテナ素子の長さ方向に揃えて一列に配置されている。第２のダイポールアンテナ素子の外方側に、複数の第２の延長素子が配置されている。第２の延長素子も、λ／４の整数倍の長さをそれぞれが有している。これら第２の延長素子は、第２のダイポールアンテナ素子の長さ方向に揃えて一列に配置されている。第１の延長素子の間、第１のダイポールアンテナ素子とこれに近接する第１の延長素子との間、第２の延長素子の間及び第２のダイポールアンテナ素子とこれに近接する第２の延長素子との間に、それぞれスイッチが設けられている。各スイッチは、第１の延長素子の間、第１のダイポールアンテナ素子とこれに近接する第１の延長素子との間、第２の延長素子の間及び第２のダイポールアンテナ素子とこれに近接する第２の延長素子との間を、接続及び切断する。
【０００９】
このように構成された多方向アンテナでは、例えば全てのスイッチを切断状態とすると、第１及び第２のダイポールアンテナ素子のみで多方向アンテナは構成され、これらの長さ方向に対して直角な方向に８の字指向性を示す。例えば第１のダイポールアンテナ素子と第１の延長素子との合計の長さが３λ／４の長さとなり、第２のダイポールアンテナ素子の長さはλ／４を維持するようにスイッチを切り換えると、全長がλの高調波アンテナとして多方向アンテナは動作する。また、第１のダイポールアンテナ素子と第１の延長素子との合計の長さが３λ／４の長さとなり、第２のダイポールアンテナ素子と第２の延長素子との合計の長さも３λ／４の長さとなるようにスイッチを切り換えると、全長が３λ／２の高調波アンテナとなる。このようにすると、最大放射の生じる方向は、第１及び第２のアンテナ素子の片側で複数生じ、しかも長さが第１及び第２のダイポールアンテナの長さが長くなるに従って、第１及び第２のダイポールアンテナに近づいていく。従って、スイッチによって、第１及び第２の延長素子の接続及び切断を切り換えることによって、最大放射の生じる方向（指向性）を調整することができ、切換という簡単な構成によって異なる方向から到来する電波を受信することが可能となる。
【００１０】
前記スイッチは、前記接続、前記切断に加えて、第１の延長素子の間、第１のダイポールアンテナ素子とこれに近接する第１の延長素子との間、第２の延長素子の間及び第２のダイポールアンテナ素子とこれに近接する第２の延長素子との間に、λ／４の折り返し部分の接続も可能に構成することもできる。即ち、スイッチは、切換スイッチに構成することもできる。
【００１１】
このように構成すると、第１の延長素子の間、第１のダイポールアンテナ素子とこれに近接する第１の延長素子との間、第２の延長素子の間及び第２のダイポールアンテナ素子とこれに近接する第２の延長素子との間に、λ／４の折り返し部分を接続した状態では、この多方向アンテナは、コリニアアレイアンテナとして動作し、指向性の鋭いアンテナとして使用することができる。
【００１２】
上述したいずれかの多方向アンテナを、複数設けることもできる。この場合、前記各多方向アンテナの第１及び第２のダイポールアンテナ素子がほぼ同一平面内において交差するように配置する。複数の多方向アンテナの給電部からの出力は、特段処理することなく、合成する。
【００１３】
第１及び第２のダイポールアンテナ素子に対して所定の角度をなすようにモノポールアンテナ素子を配置することができる。この配置は、モノポールアンテナ素子の一端部が第１及び第２のダイポールアンテナ素子の内方端部の近傍に位置するように行われ、この一端部に給電される。モノポールアンテナ素子は、前記λ／４の長さを有している。前記モノポールアンテナ素子の他端側に、複数の第３の延長素子が、前記モノポールアンテナ素子の長さ方向に揃えて一列に配置されている。第３の延長素子も、前記λ／４の整数倍の長さをそれぞれが有している。第３の延長素子の間、前記モノポールアンテナ素子とこれに近接する第３の延長素子との間にも、前記スイッチが設けられている。モノポールアンテナ素子の給電部からの出力も、第１及び第２のダイポールアンテナ素子の給電部からの出力と、なんら演算処理されることなく、合成される。
【００１４】
これらのように構成することによって、スイッチの接続、切断を様々に行うことによって、各給電部からの出力の合成出力は、単独の多方向アンテナの場合の指向性とは異なる指向性を示すので、更に様々な方向から到来する電波を受信することが可能となる。
【発明の効果】
【００１５】
以上のように、本発明によれば、ダイポールアンテナ素子の長さを調整するという簡単な構成によって、指向性を調整することができ、異なる方向から到来する電波を受信することが可能である。
【発明を実施するための最良の形態】
【００１６】
本発明の第１の実施形態の多方向アンテナは、図１に示すように、ダイポールアンテナ２を有している。ダイポールアンテナ２は、第１及び第２のダイポールアンテナ素子４、６を有している。これら第１及び第２のダイポールアンテナ素子４、６は、λ／４（λは、受信しようとする周波数帯、例えばＵＨＦ帯のテレビジョン放送帯の中心波長）の長さをそれぞれ有し、それぞれの一方の端部を接近させた状態で一列に配置されている。これら第１及び第２のダイポールアンテナ素子４、６の接近させた端部、即ち内方端部に、給電部８が接続されている。
【００１７】
第１のダイポールアンテナ素子４の外方端部（給電部８が接続されている端部と反対側の端部）側には、複数、例えば２つの第１の延長素子１０ａ、１０ｂが配置されている。第１の延長素子１０ａ、１０ｂも、その長さがλ／４のもので、第１のダイポールアンテナ素子４と一列をなすように、長さ方向を第１のダイポールアンテナ素子４と揃えて配置されている。第１の延長素子１０ａ、１０ｂは接近して配置され、第１の延長素子１０ａは、第１のダイポールアンテナ素子４と接近して配置されている。
【００１８】
第１のダイポールアンテナ素子４と第１の延長素子１０ａとの間には、スイッチ、例えば開閉スイッチ１２ａが配置されている。この開閉スイッチ１２ａは、例えばＰＩＮダイオードを用いたもので、制御信号、例えば接続信号が供給されたとき、第１のダイポールアンテナ素子４と第１の延長素子１０ａとを接続し、接続信号が非供給の時、第１のダイポールアンテナ素子４と第１の延長素子１０ａとを切断する。同様に第１の延長素子１０ａ、１０ｂ間にも開閉スイッチ１２ｂが設けられ、接続信号の供給によって第１の延長素子１０ａ、１０ｂ間を接続し、接続信号の非供給によって第１の延長素子１０ａ、１０ｂ間を切断する。
【００１９】
同様に、第２のダイポールアンテナ素子の外方端部側にも、第２の延長素子１４ａ、１４ｂが設けられている。第２の延長素子１４ａ、１４ｂも、その長さがλ／４のもので、第１の延長素子１０ａ、１０ｂと第１のダイポール素子８との関係と同様な関係を、第２のダイポールアンテナ素子６と維持して配列されている。更に、第２のダイポールアンテナ素子６と第２の延長素子１４ａとの間、第２の延長素子１４ａ、１４ｂ間にも、スイッチ１６ａ、１６ｂが設けられている。スイッチ１６ａ、１６ｂも、スイッチ１２ａ、１２ｂと同様に動作する。
【００２０】
これらスイッチ１２ａ、１２ｂ、１６ａ、１６ｂを接続する接続信号は、制御部１８が発生する。
【００２１】
このように構成された多方向アンテナでは、図２（ａ）に示すように、全てのスイッチ１２ａ、１２ｂ、１６ａ、１６ｂを切断状態としていると、同図に斜線を付して示すように第１及び第２のダイポールアンテナ素子４、６のみで、全長がλ／２で、中央で電流給電されたダイポールアンテナが構成される。その結果、水平面指向性は、図３（ａ）に示すように、ダイポールアンテナ２の長さ方向に対して垂直な方向に８の字指向性を示す。即ち、最大放射方向は、ダイポールアンテナ２に対して垂直な方向にある。
【００２２】
図２（ｂ）に示すように、スイッチ１６ａ、１６ｂを接続状態とし、スイッチ１２ａ、１２ｂを切断状態に切り換えると、同図に斜線を付して示すように、第１及び第２のダイポールアンテナ素子４、６及び第２の延長素子１４ａ、１４ｂによって、全長がλで、一端からλ／４の位置で電流給電されたダイポールアンテナが構成される。この場合の指向特性は、図３（ｂ）に示すように、ダイポールアンテナ２の両側にそれぞれ２つのメインローブを持つものとなる。これら２つのメインローブは、ダイポールアンテナ２の長さ方向に対して垂直な方向の両側に接近して位置している。
【００２３】
図２（ｃ）に示すように、スイッチ１２ａ、１２ｂ、１６ａ、１６ｂを全て接続状態とすると、第１及び第２のダイポールアンテナ素子４、６、第１の延長素子１０ａ、１０ｂ、第２の延長素子１４ａ、１４ｂによって、全長が３λ／２で、中央で電流給電されたダイポールアンテナが構成される。この場合の指向性は、図３（ｃ）に示すように、図３（ｂ）と同様に、ダイポールアンテナ２の両側において、それぞれダイポールアンテナの長さ方向に対して垂直な方向の両側に２つのメインローブを有するが、これらメインローブが、図３（ｂ）の場合よりもダイポールアンテナ２側に傾いている。
【００２４】
このようにスイッチ１２ａ、１２ｂ、１６ａ、１６ｂを切り換えることによって、このダイポールアンテナの指向性を変化させることができ、異なる方向から到来する電波を受信可能となる。
【００２５】
上記の実施形態では、電流給電を行ったが、第２の延長素子をもう１つ、第２の延長素子１４ｂの外側に設け、もう１つの第２の延長素子と第２の延長素子１４ｂとの間にもスイッチを設け、例えばスイッチ１６ａのみを接続状態とした状態、スイッチ１２ａ、１６ａを接続状態とした状態、スイッチ１２ａ、スイッチ１６ａ、１６ｂ、追加したスイッチを接続した状態に切り換えることによって、電圧給電の状態で指向性を変化させることもできる。この場合、第１の延長素子１０ｂとスイッチ１２ｂとは不要であるし、指向性のパターンは、電流給電の場合のものと異なったものとなる。
【００２６】
また、第１の延長素子１０ｂとスイッチ１２ｂを設けた状態で、上述したもう１つの第２の延長素子ともう１つのスイッチとを設けておき、電圧給電と電流給電とを適宜切り換えることによって、更に指向特性を細かく変化させることができる。
【００２７】
また、上記の実施形態のように電流給電を行う場合には、第１の延長素子、第２の延長素子をそれぞれλ／２の長さとして１つずつ、第１のダイポールアンテナ素子４、第２のダイポールアンテナ素子６の外方に設けることもできる。この場合、スイッチの数を減少させることができ、制御も容易になる。
【００２８】
上記の実施形態では、電流給電する場合、第１及び第２の延長素子は、それぞれ２つずつ設けたが、さらに多くの第１及び第２の延長素子を設けることもできる。その場合、各第１及び第２の延長素子をそれぞれλ／４の長さとするなら、第１及び第２の延長素子は、共に２の倍数の個数とする。また、電圧給電する場合には、第１及び第２の延長素子をそれぞれλ／４の長さとするなら、スイッチを奇数ずつ設ける。
【００２９】
第２の実施形態の多方向アンテナを図４乃至図６に示す。この実施形態では、スイッチ１２ａ、１２ｂ、１６ａ、１６ｂに代えて、図４に示すように切換スイッチ部１８ａ、１８ｂ、２０ａ、２０ｂを設けてある。そして、例えば第１のダイポールアンテナ素子４と第１の延長素子１０ａとで言えば、両者の間を接続、切断状態のいずれかの状態とするだけでなく、図５に示すように両者の間に２つのλ／４の長さのスタブ２２ａ、２２ｂを有する折り返し部分（フェージングスタブ）２２を接続した状態にも切り換えられるように構成してある。第１の延長素子１０ａ、１０ｂ間、第２のダイポールアンテナ素子６、第２の延長素子１４ａ間、第２の延長素子１４ａ、１４ｂ間も同様に、切換スイッチ部１８ｂ、２０ａ、２０ｂによって、折り返し部分２２を接続した状態にすることができる。
【００３０】
切換スイッチ部１８ａは、図５に示すように２つの切換スイッチ２４、２６を有している。切換スイッチ２４は、接触子２４ａと３つの接点２４ｂ、２４ｃ、２４ｄを有している。切換スイッチ２６も、同様に接触子２６ａと３つの接点２６ｂ、２６ｃ、２６ｄを有している。
【００３１】
切換スイッチ２４の接触子２４ａは、ダイポールアンテナ素子４の端部に接続され、接点２４ｂは、折り返し部分のスタブ２２ｂに接続され、接点２４ｃは、切換スイッチ２６の接点２６ｃに接続され、接点２４ｄは空き接点とされている。切換スイッチ２６の接触子２６ａは、第１の延長素子１０ａの端部に接続され、接点２６ｂは、折り返し部分２２のスタブ２２ａに接続され、接点２６ｃは上述したように接点２４ｃに接続され、接点２４ｄは空き接点とされている。
【００３２】
従って、接触子２４ａ、２６ａが、接点２４ｄ、２６ｄに接触しているときには、第１のダイポールアンテナ素子４と第１の延長素子１０ａとは切断状態にあり、接点２４ｂ、２６ｂに接触しているときには、第１のダイポールアンテナ素子４と第１の延長素子１０ａとは接続状態にある。そして、接触子２４ａ、２６ａが接点２４ｂ、２６ｂに接触している状態では、第１のダイポールアンテナ素子４と、第１の延長素子１０ａとの間に、折り返し部分２２が接続されている。
【００３３】
他の切換スイッチ部１８ｂ、２０ａ、２０ｂも同一の構成であるので、詳細な説明は省略する。切換スイッチ部１８ａ、１８ｂ、２０ａ、２０ｂとしては、ＰＩＮダイオードを用いたものを使用することもできるし、市販されているＩＣ型の高周波切換スイッチを使用することもできる。
【００３４】
切換スイッチ部１８ａ、１８ｂ、２０ａ、２０ｂを接続状態または切断状態とすることによって、第１の実施形態に関連して説明したように、指向性を変化させることができる。また、切換スイッチ部１８ａ、１８ｂ、２０ａ、２０ｂによって、折り返し部分２２を、第１のダイポールアンテナ素子４と第１の延長素子１０ａとの間、第２のダイポールアンテナ素子６と第２の延長素子１４ａとの間にそれぞれ接続し、第１の延長素子１０ａ、１０ｂ間を接続し、第２の延長素子１４ａ、１４間を接続した場合、コリニアアレイアンテナが構成される。
【００３５】
即ち、第１のダイポールアンテナ素子４と第１の延長素子１０ａとの間、第２のダイポールアンテナ素子６と第２の延長素子１４ａとの間にそれぞれ全長がλ／２の折り返し部分２２が設けられたことにより、第１及び第２のダイポールアンテナ素子４、６、第１の延長素子１０ａ、１０ｂ、第２の延長素子１４ａ、１４ｂには、同相の電流が流れ、第１及び第２のダイポールアンテナ素子４、６に直角な方向に、これらからの放射が加え合わされ、図６に示すような鋭い指向性を示す。従って、ダイポールアンテナ２の長さ方向に対して垂直な方向からの電波を妨害波を受信することなく、良好に受信することが可能となる。
【００３６】
この実施形態において、第１及び第２の延長素子の長さをそれぞれλ／２として、切換スイッチ部を第１の延長素子側及び第２の延長素子側にそれぞれ１個ずつ設けた構成とすることもできる。また、第１の実施形態の変形例で説明したように電圧給電する場合には、第１の延長素子１０ａと第１のダイポールアンテナ素子４との間に設けた折り返し部分２２、第２の延長素子１４ａと第２のダイポールアンテナ素子６との間に設けた折り返し部分２２を、それぞれ使用する。第１の実施形態に関連して説明した変形例は、第２の実施形態にも適用可能である。
【００３７】
第３の実施形態を図７及び図８に示す。この実施形態は、図７に示すように、第１の実施形態で示した多方向アンテナを２組備えている。１組目のダイポールアンテナを符号２−１で示し、もう１組のダイポールアンテナを符号２−２で示してある。それらの各構成要素には、第１の実施形態において付した符号の末尾に１または２を付して、示して詳細な説明は省略する。なお、図７では、スイッチ１８ａ、１８ｂ、２０ａ、２０ｂに相当するものは省略してある。ダイポールアンテナ２−１、２−２は、互いに９０度の角度を成すように交差してほぼ同一面内に配置されている。その交点は、第１ダイポールアンテナ素子４−１と第２ダイポールアンテナ素子６−１との中間と、第１ダイポールアンテナ素子４−２と第２ダイポールアンテナ素子６−２との中間とである。
【００３８】
そして、第１ダイポールアンテナ２−１と第２ダイポールアンテナ２−２との給電部から得られる出力を合成することによって、例えば図８（ａ）乃至(ｃ)に示すような指向性を得ることができる。なお、第２の実施形態で使用した折り返し部分２２を、この実施形態においても使用することができるし、第１の実施形態に関連して説明した変形例を、第２の実施形態において適用することも可能である。
【００３９】
第４の実施形態を図９及び図１０に示す。この実施形態は、第１の実施形態のダイポールアンテナ２に、モノポールアンテナ素子２４、第３の延長素子２６ａ、２６ｂを設けたものである。即ち、ダイポールアンテナ２に対して同一面内において直交するようにモノポールアンテナ素子２４が配置されている。モノポールアンテナ素子２４の一端部は、第１及び第２のダイポールアンテナ素子４、６の内方端部の中点付近に位置し、λ／４の長さを有している。このモノポールアンテナ素子２４の他方の端部の延長線上に、これと長さ方向を揃えて、１列に延長素子２６ａ、２６ｂが配置されている。図示していないが、モノポールアンテナ素子２４と第３の延長素子２６ａとの間には、第１の実施形態で示したスイッチ１２ａに相当するスイッチが、第３の延長素子２６ａ、２６ｂ間にはスイッチ１２ｂに相当するスイッチが、それぞれ設けられている。また、図示していないが、第１及び第２のダイポールアンテナ素子４、６におけるモノポールアンテナ素子２４とは反対側に反射素子が設けられている。この反射素子は第１及び第２のダイポールアンテナ素子４、６とほぼ平行に約λ／４だけ隔てて配置されている。
【００４０】
そして、図示していない給電部によってダイポールアンテナ２とモノポールアンテナ素子２４の出力とが合成され、出力される。第１の実施形態と同様に、スイッチを種々に切り換えることによって、例えば図１０(ａ)乃至(ｃ)に示すように、指向性を変化させることができる。
【００４１】
この実施形態においても、第２の実施形態のように折り返し部分２２をダイポールアンテナ２に設けることができるし、第１の実施形態に関連して説明した変形例を、この実施形態にも適用可能である。
【００４２】
上記の各実施形態は、受信アンテナの例であるが、本発明は、無論、送信アンテナとしても使用することができる。
【図面の簡単な説明】
【００４３】
【図１】本発明の第１の実施形態の多方向アンテナの概略構成図である。
【図２】図１の多方向アンテナの動作説明図である。
【図３】図１の多方向アンテナの指向特性図である。
【図４】本発明の第２の実施形態の多方向アンテナの概略構成図である。
【図５】図４の多方向アンテナにおける第１のダイポールアンテナ素子と第１の延長素子との接続、同切断及び同折り返し部分接続の構成を示す図である。
【図６】図４の多方向アンテナの指向特性図である。
【図７】本発明の第３の実施形態の多方向アンテナの概略構成図である。
【図８】図７の多方向アンテナの指向特性図である。
【図９】本発明の第４の実施形態の多方向アンテナの概略構成図である。
【図１０】図９の多方向アンテナの指向特性図である。
【符号の説明】
【００４４】
４  第１のダイポールアンテナ素子
６  第２のダイポールアンテナ素子
８  給電部
１０  第１の延長素子
１２  スイッチ
１４  第２の延長素子
１６  スイッチ
【図１】
2008306441.tif 000003
【図２】
2008306441.tif 000004
【図３】
2008306441.tif 000005
【図４】
2008306441.tif 000006
【図５】
2008306441.tif 000007
【図６】
2008306441.tif 000008
【図７】
2008306441.tif 000009
【図８】
2008306441.tif 000010
【図９】
2008306441.tif 000011
【図１０】
2008306441.tif 000012